(57)【要約】      （修正有）【課題】低周波ＡＣ比較回路のためのシステムおよび方法を提供する。【解決手段】低周波ＡＣ比較回路１０００は、光検出器１０１６により発生されるモニタリング信号を受信するように構成される回路構成を有しており、前記モニタリング信号は光学ドライバー１００２により受信されるデータ信号１０１０に基づいて送信する光伝送装置によって発生される光の量に比例している。比較回路１０００は、さらに、前記モニタリング信号の低周波ＡＣ成分とデータ信号１０１０の相関低周波ＡＣ成分の比較に基づいて光学ドライバー１００２に送信される変調電流制御信号１００６を発生するように構成される。【選択図】図１０
2015046597.tif 000002
【特許請求の範囲】
【請求項１】
光検出器により発生されるモニタリング信号を受信するようにし、前記モニタリング信号が光学ドライバーにより受信されるデータ信号に基づいて送信する光伝送装置によって発生される光の量に比例しており、さらに、
前記モニタリング信号の低周波ＡＣ成分と前記データ信号の相関低周波ＡＣ成分との比較に基づいて前記光学ドライバーに送信される変調電流制御信号を発生するようにして
構成される回路構成を
具備することを特徴とする低周波ＡＣ比較回路。
【請求項２】
前記回路構成が、デジタルコントローラを具備し、そこでは、前記デジタルコントローラが、
前記モニタリング信号および前記データ信号の前記相関低周波ＡＣ成分の前記比較に基づいてフィードバック信号を受信するようにし、さらに、
前記フィードバック信号および前記変調電流制御信号前の状態に基づいて前記変調電流制御信号を発生するするようにして構成される
ことを特徴とする請求項１に記載の回路。
【請求項３】
前記フィードバック信号が、前記モニタリング信号および前記データ信号の前記相関低周波ＡＣ成分の単一クロック期間にわたる比較に基づいていることを特徴とする請求項２に記載の回路。
【請求項４】
前記フィードバック信号が、２値のアップまたはダウン信号であることを特徴とする請求項３に記載の回路。
【請求項５】
前記フィードバック信号が、前記単一クロック期間にわたる、前記比較の積分に基づいていることを特徴とする請求項３に記載の回路。
【請求項６】
前記積分が、積分器により実行され、そこでは、該積分器および前記デジタルコントローラがクロック信号に応答しており、該クロック信号が、前記光伝送装置がアクティブの際に、アクティブであることを特徴とする請求項５に記載の回路。
【請求項７】
前記積分器が、前記クロック信号の受信されたパルスに基づいてリセットされ、さらに、前記デジタルコントローラが、前記クロック信号の受信されたパルスに基づいて前記フィードバック信号をサンプリングすることを特徴とする請求項６に記載の回路。
【請求項８】
前記デジタルコントローラが、前記光伝送が非アクティブクロック信号により示されるように非アクティブの際に、前記変調電流制御信号の前記前の状態を保持することを特徴とする請求項６に記載の回路。
【請求項９】
前記デジタルコントローラが、前記変調電流制御信号のデジタルバージョンを発生して、該デジタルバージョンを前記変調電流制御信号のアナログバージョンへ変換するように構成されることを特徴とする請求項２に記載の回路。
【請求項１０】
前記デジタルコントローラが、さらに、
前記モニタリング信号のＤＣ成分に基づいて平均電力フィードバック信号を受信して、
前記平均電力フィードバック信号および前記バイアス電流制御信号の前の状態に基づいて前記光学ドライバーに送信されるバイアス電流制御信号を発生するように構成される
ことを特徴とする請求項２に記載の回路。
【請求項１１】
前記バイアス電流制御信号が、「論理０」ドライブ電流と「論理１」ドライブ電流の所望の平均を代表していることを特徴とする請求項１０に記載の回路。
【請求項１２】
前記バイアス電流制御信号が、前記モニタリング信号の前記ＤＣ成分の単一クロック期間にわたるモニタリングに基づいており、
前記平均電力制御フィードバック信号が、２値のアップまたはダウン信号であり、
前記平均電力フィードバック信号が、前記モニタリング信号の前記ＤＣ成分に基づいている前記単一クロック期間にわたる積分に基づいている
ことを特徴とする請求項１０に記載の回路。
【請求項１３】
前記データ信号の前記低周波ＡＣ成分の帯域幅が、前記光検出器の帯域幅より狭いことを特徴とする請求項１に記載の回路。
【請求項１４】
前記データ信号を代表する信号が前記モニタリング信号から減算され、
前記データ信号を代表する前記信号が前記光伝送装置の受信された所望の消光比および受信された所望の平均電力に基づいている
ことを特徴とする請求項１に記載の回路。
【請求項１５】
前記データ信号を代表する前記信号は、前記データ信号が０値を表す時に、第１のレベルにあり、前記データ信号を代表する前記信号は、前記データ信号が１値を表す時に、第２のレベルにあることを特徴とする請求項１４に記載の回路。
【請求項１６】
前記第１のレベルが、ＩＭＯＮ０＝２＊ＩＡＶＥ／（ＥＲ＋１）によって決定される第１の電流レベルであり、そこでは、ＩＭＯＮ０は前記第１の電流レベル、ＩＡＶＥは前記受信された所望の平均電力に基づいた電流、ＥＲは前記受信された所望の消光比であり、
前記第２のレベルが、（ＩＭＯＮ１&#8211;ＩＭＯＮ０）＝２＊ＩＡＶＥ＊（ＥＲ&#8211;１）／（ＥＲ＋１）によって決定される第２の電流レベルであり、そこでは、（ＩＭＯＮ１&#8211;ＩＭＯＮ０）は前記第１および第２のレベル間の差異である
ことを特徴とする請求項１５に記載の回路。
【請求項１７】
前記第１の電流レベルおよび前記第２の電流レベルが、複数のゲート被接続トランジスターを使用して発生され、前記トランジスターのいくつかが個々のスイッチにより制御されることを特徴とする請求項１６に記載の回路。
【請求項１８】
前記所望の平均電力および前記所望の消光比が、メモリーから、または、コンピュータユーザインターフェースを経由して受信されることを特徴とする請求項１４に記載の回路。
【請求項１９】
前記コンピュータユーザインターフェースが、所望の光変調振幅用の値を受け入れないことを特徴とする請求項１８に記載の回路。
【請求項２０】
前記データ信号を代表する信号が前記モニタリング信号から減算され、
前記データ信号を代表する前記信号は、前記データ信号が０値を表す時に、第１のレベルにあり、前記データ信号代表する前記信号は、前記データ信号が１値を表す時に、第２のレベルにあり、
前記第１のレベルおよび前記第２のレベルが、双方ともに、スケーリングファクターｍに基づいて調整される
ことを特徴とする請求項１に記載の回路。
【請求項２１】
前記第１のレベルが、ＩＭＯＮ０，ＡＤＪ＝ＩＭＯＮ０&#8211;０．５（ｍ&#8211;１）（ＩＭＯＮ１&#8211;ＩＭＯＮ０）によって調整され、そこでは、ＩＭＯＮ０，ＡＤＪは前記調整された第１のレベル、ＩＭＯＮ０は前記事前の調整第１のレベル、（ＩＭＯＮ１&#8211;ＩＭＯＮ０）ｉｓは前記第１および第２のレベル間の事前の調整差異であり、
前記第２のレベルが、（ＩＭＯＮ１&#8211;ＩＭＯＮ０）ＡＤＪ＝ｍ（ＩＭＯＮ１&#8211;ＩＭＯＮ０）によって調整され、そこでは、（ＩＭＯＮ１&#8211;ＩＭＯＮ０）ＡＤＪは前記第１および第２のレベル間の前記調整された差異である
ことを特徴とする請求項２０に記載の回路。
【請求項２２】
前記回路構成が、さらに、残留信号を発生するために前記モニタリング信号から前記データ信号に比例する信号を減算するように構成され、前記変調電流制御信号が前記残留信号および前記データ信号の相関に基づいていることを特徴とする請求項１に記載の回路。
【請求項２３】
前記回路構成が、さらに、前記変調振幅電流制御信号を発生するに先立って、前記残留信号および前記データ信号の一方か双方をローパスフィルターに提供するように構成されることを特徴とする請求項２２に記載の回路。
【請求項２４】
前記残留信号の低周波ＡＣ成分は、前記光伝送装置の所望の光変調振幅が達成される時に、ゼロであることを特徴とする請求項２２に記載の回路。
【請求項２５】
さらに、積分器またはローパスフィルターを具備し、前記積分器またはローパスフィルターが、前記残留信号および前記データ信号の前記相関を受信して前記変調電流制御信号を発生するように構成されることを特徴とする請求項２２に記載の回路。
【請求項２６】
前記モニタリング信号のＤＣ成分に基づいて前記光学ドライバーへ平均電力制御信号を送信するように構成される平均電力制御回路を、さらに、具備することを特徴とする請求項１に記載の回路。
【請求項２７】
前記光伝送装置が、ＬＥＤ、レーザーダイオード、または、ＶＣＳＥＬであることを特徴とする請求項１に記載の回路。
【請求項２８】
前記変調電流制御信号が、前記光学ドライバーの変調振幅を調節するために、前記光学ドライバーへ送信されることを特徴とする請求項１に記載の回路。
【請求項２９】
前記データ信号のデューティサイクルが、追加の低周波ＡＣコンテンツを前記データ信号に導入するために、低周波ＡＣテスト信号によってダイナミックに変えられることを特徴とする請求項１に記載の回路。
【請求項３０】
前記データ信号が、被混合相関信号を発生するために、前記低周波テスト信号と混合され、
前記比較回路が、残留信号を発生するために、前記モニタリング信号から前記データ信号に比例する信号を減算するように構成され、
前記変調電流制御信号が、前記残留信号および前記被混合相関信号の相関に基づいて発生される
ことを特徴とする請求項２９に記載の回路。
【請求項３１】
前記残留信号が、フィルターされた残留信号を発生するために、フィルターに送信され、
前記被混合相関信号が、フィルターされた被混合相関信号を発生するために、実質的に同じフィルターに送信され、
前記変調電流制御信号が、前記フィルターされた残留信号および前記フィルターされた被混合相関信号の相関に基づいて発生される
ことを特徴とする請求項３０に記載の回路。
【請求項３２】
受信されたデータ信号に基づいてドライバー信号を出力するように構成される光学ドライバーであって、前記ドライバー信号の変調振幅が受信された変調電流制御信号によって制御されるものと、
前記ドライバー信号に基づいて光を送信するように構成されるレーザーダイオードと、
前記光伝送装置よって発生される光の量に比例するモニタリング信号を発生するように構成される光検出器と、
光検出器により発生される前記モニタリング信号を受信して、前記モニタリング信号の低周波ＡＣ成分と前記データ信号の相関低周波ＡＣ成分との比較に基づいて前記光学ドライバーに送信される前記変調電流制御信号を発生するように構成される回路構成を具備する低周波ＡＣ比較回路と、
を具備することを特徴とする光モジュール。
【発明の詳細な説明】
【技術分野】
【０００１】
ここに記載されている技術は、一般的にはデータ伝送に関し、より具体的には、光データ送信機制御に関する。
【背景技術】
【０００２】
光通信は、光ファイバーを介するなどして光パルスを送ることによりある場所から別の場所へ情報を伝送することを含んでいる。光は、情報を搬送するために変調される搬送波を形成する。光通信は、その低損失性および高データ搬送容量で知られている。しかしながら、光データ信号発生の品質が適切に制御されていない時には、光通信システムのこれらの認知された利点が軽減され得る。
【発明の開示】
【０００３】
ここでの教えに従えば、低周波比較回路のために、システムと方法が提供される。前記低周波比較回路は、光検出器により発生されるモニタリング信号を受信するように構成される回路構成を有しており、前記モニタリング信号は光学ドライバーにより受信されるデータ信号に基づいて送信する光伝送装置によって発生される光の量に比例している。前記比較回路は、さらに、前記モニタリング信号の低周波成分と前記データ信号の低周波成分の比較に基づいて前記光学ドライバーに送信される変調電流制御信号を発生するように構成される。
【０００４】
別の例示として、光モジュールが、受信されたデータ信号に基づいてドライバー信号を出力するように構成される光学ドライバーを有し、そこでは、前記ドライバー信号の変調振幅が受信された変調電流制御信号によって制御される。レーザーダイオードが、前記ドライバー信号に基づいて光を送信するように構成される。光検出器が、前記光伝送装置によって発生される光の量に比例するモニタリング信号を発生するように構成される。低周波比較回路が、光検出器によって発生されるモニタリング信号を受信して前記モニタリング信号の低周波成分と前記データ信号の低周波成分の比較に基づいて前記光学ドライバーへ送信される前記変調電流制御信号を発生するするように構成される回路構成を有する。
【図面の簡単な説明】
【０００５】
【図１】図１は、閉ループ光変調振幅制御を含む光送信機構成を描写しているブロック図である。
【図２】図２は、光変調振幅フィードバック制御を実行する方法を描写しているフロー図である。
【図３】図３は、モニタリング信号とデータ信号の一つ又は双方をフィルターする光変調フィードバック回路を描写しているブロック図である。
【図４】図４は、光変調振幅フィードバック制御を実行する方法を描写しているフロー図である。
【図５Ａ】図５Ａは、モニター信号とデータ信号間の比較の例示の詳細を描写している光変調フィードバック回路のブロック図である。
【図５Ｂ】図５Ｂは、モニター信号とデータ信号間の比較の例示の詳細を描写している光変調フィードバック回路のブロック図である。
【図６】図６は、減算回路の例示の詳細を描写している光変調フィードバック回路のブロック図である。
【図７Ａ】図７Ａは、図６の構成における特別な点での例示のデータ信号の多くのプロットを描写している。
【図７Ｂ】図７Ｂは、図６の構成における特別な点での例示のデータ信号の多くのプロットを描写している。
【図７Ｃ】図７Ｃは、図６の構成における特別な点での例示のデータ信号の多くのプロットを描写している。
【図７Ｄ】図７Ｄは、図６の構成における特別な点での例示のデータ信号の多くのプロットを描写している。
【図７Ｅ】図７Ｅは、図６の構成における特別な点での例示のデータ信号の多くのプロットを描写している。
【図７Ｆ】図７Ｆは、図６の構成における特別な点での例示のデータ信号の多くのプロットを描写している。
【図７Ｇ】図７Ｇは、図６の構成における特別な点での例示のデータ信号の多くのプロットを描写している。
【図８Ａ】図８Ａは、図６の構成における特別な点での例示のデータ信号の多くのプロットを描写している。
【図８Ｂ】図８Ｂは、図６の構成における特別な点での例示のデータ信号の多くのプロットを描写している。
【図８Ｃ】図８Ｃは、図６の構成における特別な点での例示のデータ信号の多くのプロットを描写している。
【図８Ｄ】図８Ｄは、図６の構成における特別な点での例示のデータ信号の多くのプロットを描写している。
【図８Ｅ】図８Ｅは、図６の構成における特別な点での例示のデータ信号の多くのプロットを描写している。
【図８Ｆ】図８Ｆは、図６の構成における特別な点での例示のデータ信号の多くのプロットを描写している。
【図８Ｇ】図８Ｇは、図６の構成における特別な点での例示のデータ信号の多くのプロットを描写している。
【図９】図９は、平均電力制御を含む光変調フィードバック回路のブロック図である。
【図１０】図１０は、デューティサイクル変調器を含む光送信機を描写しているブロック図である。
【図１１】図１１は、デューティサイクル変調を含む光変調振幅フィードバック制御を実行する方法を描写しているフロー図である。
【図１２】図１２は、回路信号のさらなるフィルタリングを含む例示の光送信機構成を描写している。
【図１３】図１３は、交互データ信号のデューティサイクル変調構成を描写しているブロック図である。
【図１４】図１４は、例示の低周波テスト信号およびデータ信号上でのそのテスト信号の効果を描写している。
【図１５】図１５は、ハイブリッドアーキテクチャーを描写している。
【図１６】図１６は、デジタルコントローラを含む光変調フィードバックシステムを描写した別の例示の構成を描写しているブロック図である。
【図１７】図１７は、デジタルコントローラの例示の入力と出力のクローズアップを描写しているブロック図である。
【図１８】図１８は、ＩＭＯＮ０およびＩＭＯＮ１を発生する例示の機構を描写している図である。
【発明を実施するための最良の形態】
【０００６】
発光ダイオード（ＬＥＤ）送信機、ＶＣＳＥＬ送信機、または、レーザーダイオード送信機のような光送信機は、情報を搬送するために変調される光を発生するコンポーネントを有する。例えば、レーザーダイオード送信機は、レーザーダイオードおよびデータ搬送光信号を発生するレーザーダイオードに送信されるドライバー信号を発生するレーザーダイオードドライバーを有する。
【０００７】
レーザーダイオードドライバーは、ドライバー信号を発生するために処理される一つ以上の入力信号を受信する。例えば、レーザーダイオードドライバーは、伝送用の光信号に変調されるべきデータを含有するデータ入力信号、並びに、変調電流制御入力やバイアス電流制御入力のような一つ以上のパラメーター調整入力を受信するだろう。変調電流制御入力が、ロジック「１」とロジック「０」間の光電力出力の絶対値差を制御し、バイアス電流制御入力が、レーザーダイオードの平均光電力出力を制御する。温度における変化、時間経過における送信機特性の変動、その他のような多くのファクターに基づいて光送信機の性能が変化するだろうから、高い信号品質を維持して電力浪費を最小化するように所望の動作範囲内にて光送信機が機能することを保証するために、制御メカニズムを、光送信機構成内に組み入れることができる。
【０００８】
図１は、閉ループ光変調振幅（ＯＭＡ）制御を含む光送信機構成を描写しているブロック図である。レーザーダイオードドライバー１０２により送信されるドライバー信号１０８に従ってレーザーダイオード１０６によって光信号に変調を行うべきデータを供給するデータ入力信号１０４を、レーザーダイオードドライバー１０２が受信する。レーザーダイオードドライバー１０２は、また、ロジック「１」とロジック「０」間でレーザーダイオード１０６の光電力出力の絶対値差を調整するＯＭＡ制御フィードバック信号（ＩＭＯＤ）１１０を受信する。変調制御フィードバック信号１１０は、閉ループモニタリング制御を経由して発生される。モニターフォトダイオード１１２のような光検出器は、レーザーダイオード１０６により発生される光の量を検出して、検出される光の量に比例するモニタリング信号１１４を出力する。低周波比較回路１１６が、モニタリング信号１１４とデータ信号１０４を受信する。低周波比較は、モニタリング信号１１４の低周波成分とデータ信号１０４の低周波成分を比較して、光変調振幅を調整するためにレーザーダイオードドライバー１０２に送信される変調制御フィードバック信号１１０を発生する。
【０００９】
図２は、光変調振幅フィードバック制御を実行する方法を描写しているフロー図である。２０２にて、光学ドライバーにより受信されるデータ信号に基づいて送信する光伝送装置によって発生される光の量に比例するモニタリング信号が、光検出器から受信される。２０４にて、モニタリング信号の低周波成分とデータ信号の低周波成分間で比較がなされ、２０６にて、変調制御フィードバック信号が発生されて、比較に基づいて、光学ドライバーに送信される。
【００１０】
図３は、モニタリング信号とデータ信号の一つ又は双方をフィルターする光変調フィードバック回路を描写しているブロック図である。レーザーダイオードドライバー３０２が、データ入力信号３０６と光変調振幅電流フィードバック信号３０８に基づいて、ドライバー信号３０４を発生する。ドライバー信号３０４は、データ伝送のために、レーザーダイオード３１０に送信される。モニターフォトダイオード３１２が、レーザーダイオード３１０により発生される光の量に比例するモニター信号３１４を発生する光検出器として動作する。モニター信号３１４とデータ信号３０６は、残留信号３１８を発生するために、レーザーダイオード３１０により送信される光に比例するモニター信号３１４から（例えば、振幅スケーラー３１７を経由の）データ信号に比例した値を減算する減算器３１６に送信される。もし、送信機のＯＭＡが狙い通りならば、その時は、残留信号３１８はゼロに近いであろう。もし、ＯＭＡが目標より大きいならば、その時は、残留信号はデータ信号と同相であろうし、もし、ＯＭＡが目標より少ないならば、その時は、残留信号はデータ信号と位相がずれているであろう。
【００１１】
３２０にて、残留信号３１８とデータ信号３０６の一つ又は双方が、信号の高周波数成分を除去するためにフィルターされて、信号のＤＣ成分を除去するためにＡＣ結合される。例えば、信号３０６、３１８は、モニターフォトダイオード３１２の帯域幅に接近しているか、または、より大きい周波数を有する信号成分をフィルターし、時として最大帯域幅ωＭＡＸを有する帯域制限されたデバイスである、ローパスフィルター３２０に送信されるだろう。そのような構成において、ローパスフィルター３２０は、ωＭＡＸに接近しているか、または、より大きい高周波数成分をフィルター除去するように構成されるだろう。３２２にて、低周波成分が比較されて、レーザーダイオードドライバー３０２に送信される変調制御フィードバック信号３０８を発生する。例えば、変調制御フィードバック信号３０８を発生するために、フィルターされた残留信号３１８とデータ信号３０６が、この２つの信号３０６、３１８を乗算する（混合する）か、または、相関をとることにより、比較されるだろう。
【００１２】
図４は、光変調振幅フィードバック制御を実行する方法を描写しているフロー図である。４０２にて、モニタリング信号が、モニターフォトダイオードのような光検出器から受信され、これは、光学ドライバーにより受信されるデータ信号に基づいて送信する光伝送装置によって発生される光の量に比例する。４０４にて、データ信号に比例する信号が、残留信号を発生するために、モニタリング信号から減算され、４０６にて、残留信号とデータ信号の一つ又は双方が、ローパスフィルターに送信される。４０８にて、モニタリング信号の低周波成分とデータ信号の低周波成分間で、比較がなされる。例えば、その比較は、残留信号とデータ信号を乗算するか、または、相関をとることにより、実行されるだろう。４１０にて、変調制御フィードバック信号が発生され、それは、光学ドライバーに送信され、４０８における比較に基づいている。
【００１３】
図５（ａ）および図５（ｂ）は、モニター信号とデータ信号間の比較の例示の詳細を描写している光変調フィードバック回路のブロック図である。図５（ａ）において、レーザーダイオードドライバー５０２は、データ入力信号５０６と光変調振幅電流フィードバック信号５０８に基づいて、ドライバー信号５０４を発生する。ドライバー信号５０４は、データ伝送用のレーザーダイオード５１０に送信される。モニターフォトダイオード５１２は、レーザーダイオード５１０により発生される光の量に比例するモニター信号５１４を発生する光検出器として、動作する。モニター信号５１４とデータ信号５０６は、残留信号５１８を発生するために、データ信号５０６に比例する値を、レーザーダイオード５１０により送信される光に比例するモニター信号５１４から減算する減算器５１６に送信される。
【００１４】
５２０にて、残留信号５１８とデータ信号５０６の一つ又は双方が、信号の高周波数成分を除去するために、フィルターされて、信号のＤＣ成分を除去するために、ＡＣ結合されるだろう。５２２にて、低周波成分が比較される。例えば、フィルターされた残留信号５１８とデータ信号５０６が、この２つの信号５０６、５１８を乗算することにより、比較されるだろう。乗算５２２の出力は、変調制御フィードバック信号５０８を発生するために、積分器５２４に送信される。
【００１５】
図５（ｂ）は、図５（ａ）におけるモニター信号とデータ信号間の比較を提供するための複数の代替構成を描写している。この複数の代替構成は、互いに別の構成と類似または同等の性能を提供するだろう。図５（ａ）の比較構成は５５２にて示される。５５４においては、データ信号のスケーリングは、次の一つに移動する。すなわち、データ信号のローパスフィルタリング５５８の５５６の前か、データ信号のローパスフィルタリング５５８の５６０の後であるが、減算器５６４への分岐５６２の前か、減算器５６４への分岐５６２上かである。５６６においては、フィルターされた形式のモニター信号５６８とスケーリングおよびフィルターされた形式のデータ信号が混合され、それから、減算器５７２に提供される。
【００１６】
図６は、減算回路の例示の詳細を描写している光変調フィードバック回路のブロック図である。レーザーダイオードドライバー６０２が、データ入力信号６０６と光変調振幅電流フィードバック信号６０８に基づいて、ドライバー信号６０４を発生する。ドライバー信号６０４は、データ伝送用のレーザーダイオード６１０に送信される。モニターフォトダイオード６１２が、制限された帯域幅ωＭＡＸを条件として、レーザーダイオード６１０により発生される光の量に比例するモニター電流信号６１４（７０４にて図７に示された例示の波形）を発生する光検出器として動作する。減算器６１６が、残留電流６１７（７０６にて図７に示された例示の波形）を発生するために、モニター電流信号６１４からデータ信号６０６に比例するリファレンス電流６１８（７０２にて図７に示された例示の波形）を減算する。リファレンス電流６１８は、ロジック「０」電流６２０とデルタ電流６２２の総和として発生され、そこでは、リファレンス電流６１８のロジック「１」成分がデータ信号６０６に応答するスイッチ６２４により制御される。ロジック「０」電流６２０とロジック「１」電流は、レーザーダイオード６１２が所望のＯＭＡで送信しているときに残留電流６１７の低周波成分がゼロであろうように、選択されるだろう。
【００１７】
残留電流６１７は、残留電流６１７を残留電圧６２８に変換するトランスインピーダンス増幅器６２６に送信される。モニタリングフォトダイオード６１２の実際のまたは見積られた帯域幅に従うか、または、それ以下として、残留電圧６２８とデータ信号６０６が、６３０、６３１にてローパスフィルターされ、ＡＣ結合される（それぞれ、７１２、７０８にて図７に示された例示の波形）。６３２にて、フィルターされた残留信号とフィルターされたデータ信号が乗算され（７１４にて図７に示される例示の波形）、乗算のＤＣ成分または平均が、レーザーダイオードドライバー６０２に送信される変調制御フィードバック信号６０８を発生するために、積分器６３４により検出される。
【００１８】
図７および図８は、図６の構成における特別な点での例示のデータ信号の多くのプロットを描写している。図７においては、送信機のＯＭＡが目標以下であり、適宜に増加されるべきである。７０２におけるプロットは、発生されてデータ信号に比例するＩＲＥＦ信号を表す。所望のＯＭＡで光伝送装置が動作するとき、ＩＲＥＳＩＤＵＥ信号の低周波成分はゼロだろう、そのようにＩＭＯＮ０とＩＭＯＮ１の大きさが選択される。７０４におけるプロットは、モニターフォトダイオードにより発生されるモニター電流信号を示し、７０６におけるプロットは、ＩＭＰＤからＩＲＥＦを減算することにより発生されるＩＲＥＳＩＤＵＥを表す。７０８、７１０と７１２におけるプロットは、それぞれ、ローパスフィルターされたバージョンのＩＲＥＦ、ＩＭＰＤとＩＲＥＳＩＤＵＥを表す。７１４にて、フィルターされたデータ信号（例えば、ＩＲＥＦの電圧形式）が、変調制御フィードバック信号を発生に使用されるＶＭＵＬＴ信号を発生するために、フィルターされた残留信号（例えば、ＩＲＥＳＩＤＵＥの電圧形式）と乗算される。ＶＭＵＬＴ信号は平均するとゼロより大きいので、レーザーダイオードドライバーは、データ信号を介してＯＭＡを比例的に持ち上げるように指示される。
【００１９】
図８においては、送信機のＯＭＡが目標以上であり、適宜に減少されるべきである。８０２におけるプロットは、発生されてデータ信号に比例するＩＲＥＦ信号を表す。８０４におけるプロットは、モニターフォトダイオードにより発生されるモニター電流信号を示し、８０６におけるプロットは、ＩＭＰＤからＩＲＥＦを減算することにより発生されるＩＲＥＳＩＤＵＥを表す。８０８、８１０と８１２におけるプロットは、それぞれ、ローパスフィルターされたバージョンのＩＲＥＦ、ＩＭＰＤとＩＲＥＳＩＤＵＥを表す。８１４にて、フィルターされたデータ信号（例えば、ＩＲＥＦの電圧形式）が、変調制御フィードバック信号発生するために使用されるＶＭＵＬＴ信号を発生するために、フィルターされた残留信号（例えば、ＩＲＥＳＩＤＵＥの電圧形式）と乗算される。ＶＭＵＬＴ信号は平均するとゼロより小さいので、レーザーダイオードドライバーは、データ信号を介してＯＭＡを比例的に低くするように指示される。
【００２０】
いくつかの実施においては、光送信機内に平均電力制御（ＡＰＣ）フィードバックをさらに組み入れることが望ましい。図９は、平均電力制御を含む光変調フィードバック回路例のブロック図である。レーザーダイオードドライバー９０２が、データ入力信号９０６、光変調振幅電流フィードバック信号９０８とバイアス電流制御信号９１０に基づいて、ドライバー信号９０４を発生する。ドライバー信号９０４は、データ伝送用レーザーダイオード９１２に送信される。モニターフォトダイオード９１４が、レーザーダイオード９１２により発生される光の量に比例するモニター電流信号９１６を発生する光検出器として動作する。減算器９１８が、残留電流９２２を発生するために、モニター電流信号９１６からデータ信号９０６に比例するリファレンス電流９２０を減算する。
【００２１】
残留電流９２２が、残留電流９２２を残留電圧９２６へ変換するために、トランスインピーダンス増幅器９２４に送信される。トランスインピーダンス増幅器９２４は、ＩＲＥＳＩＤＵＥからＤＣ成分をフィルターするだろうし、そのＤＣ成分をＡＰＣ制御ループ９２８に提供するだろう。ＡＰＣ制御ループ９２８は、モニター電流信号のＤＣ成分を所望のレベルへ強制するために、ＩＲＥＳＩＤＵＥ信号のＤＣ成分に基づいてバイアス電流制御信号９１０を発生する。モニタリングフォトダイオード９１４の実際のまたは見積られた帯域幅に従うか、または、それより低いとして、残留電圧９２６とデータ信号９０６が９３０、９３１にてローパスフィルターされる。９３２にて、フィルターされた残留信号とフィルターされたデータ信号が乗算、または、相関されて、レーザーダイオードドライバー９０２へ送信される変調制御フィードバック信号９０８を発生するために、積分器９３４に送信される。
【００２２】
入力データが速い繰返しレートで繰返す短いシーケンスで比較的に静的であるときのような、いくつかのシナリオにおいて、データ信号の低周波成分は、所望のＯＭＡから送信機ＯＭＡの偏位を識別するためには、不十分であろう。データ信号の十分な低周波成分を保証するために、デューティサイクル変調器が、光送信機に組み入れられるだろう。図１０は、デューティサイクル変調器を含む光送信機を描写している。レーザーダイオードドライバー１００２は、変調電流制御信号１００６、バイアス電流制御信号１００８、および、低周波テスト信号１０１４によるデューティサイクル変調器１０１２によって変調されるデューティサイクルを有するデータ入力信号１０１０に基づいて、ドライバー信号１００４を送信し、そこでは、データ信号１０１０が、低周波テスト信号１０１４（例えば、擬似乱数ビットシーケンス）によってデータ信号の立上りと立下りエッジを差分的に遅延することにより生み出される。デューティサイクル変調器１０１２によって導入されるデューティサイクル歪みの量は、例えば、光学リンクの総合ジッター上で無視できる効果を得るように、制限されるだろう。
【００２３】
光変調器１０１６からのデューティサイクル変調されたデータ信号１０１０とモニター信号が、変調電流制御信号１００６とバイアス電流制御信号１００８を発生するために、減算器１０１８とトランスインピーダンス増幅器１０２０とフィルター１０２１、１０２２と乗算器１０２４と積分器１０２６、１０２８に提供される。デューティサイクル変調器１０１２を欠く実施では、入力データ信号１０１０の小さな低周波成分によるＯＭＡエラーを識別することに苦闘するであろう場合には、図１０の構成が、長期間の繰返しデータ（例えば、１０１０１０１０…のようなアイドリングパターン）にもかかわらず強いＯＭＡを提供できる。
【００２４】
デューティサイクル変調は、入力データ信号のモニタリングに基づいて、選択的にアクティベートされるだろう。例えば、データ信号が静的（例えば、繰返しアイドリングパターン）であると観察されるときには、デューティサイクル変調は、データ信号の低周波成分を強調するようにアクティベートされるだろう。低周波成分がデータ信号波形単独に基づいて十分であるように、データ信号が動的であるときには、デューティサイクル変調は無効にされ得る。
【００２５】
図１１は、デューティサイクル変調を含む光変調振幅フィードバック制御を実行する方法を描写しているフロー図である。１１０２にて、受信データ信号のデューティサイクルが、データ信号の低周波成分に加えるために変えられる。１１０４にて、変調されたデータ信号に基づいて送信する光伝送装置により発生される光の量に比例するモニタリング信号が、光検出器から受信される。１１０６にて、変調されたデータ信号に比例する信号が、残留信号を発生するために、モニタリング信号から減算される。１１０８にて、残留信号と変調されたデータ信号の一つ又は双方が、ローパスフィルターされ、１１１０においては、１１１２にて変調電流制御信号を発生するために、（フィルターされた）残留信号とデータ信号が相関、または、乗算される。
【００２６】
前述の構成は例示的であり、この開示の範囲は、上述では明示的に記載されていないさらなる変形を含む。例えば、図１２は、回路信号のさらなるフィルタリングを含む、例示の光送信機構成を描写している。図１２の例において、フィルターＦ１・１２０２とＦ２・１２０４の上限遮断周波数は、モニターフォトダイオード１２０６により正確に検出され得る周波数範囲へのモニタリングフォトダイオード１２０６信号より低く選定される。１２１０における比較がモニターフォトダイオード１２０６により減衰されるいくつかの周波数成分を含むので、１２０２、１２０４にて過度に高い遮断周波数を設定することはモニター信号１２０８の見かけ上の振幅を減らすことができる。この見かけ上の減衰は、モニターフォトダイオード１２０６帯域幅制限に近づく周波数でモニターフォトダイオード信号１２０８の増加する位相シフトにより悪化され、データ信号とモニターフォトダイオード信号１２０８の同相成分間の相関を減らすであろう。
【００２７】
減算に先立ってリファレンス信号ＩＲＥＦ・１２１２をフィルタリングすることは、相関決定を改善できる。ローパスフィルターＦ３・１２１４が、モニターフォトダイオード１２０６の制限された帯域幅に対してある程度補償を行う。フィルターＦ４・１２１６が、乗算器１２１０と積分器１２１８を含む相関器により使用されるデータ信号にマッチング位相シフトを導入する。Ｆ３・１２１４がモニターフォトダイオード１２０６の周波数応答にマッチするときは、それから、ＯＭＡが狙い通りであるときに、ＩＲＥＳＩＤＵＥがゼロであろう。モニターフォトダイオード１２０６帯域幅は、一般的に、高い精度では知られていないが、フィルターＦ３・１２１４とＦ４・１２１６の包含は、システムが、振幅制御の精度を維持しながら、広範囲のモニターフォトダイオード１２０６帯域幅を許容することを可能にする。
【００２８】
例えば、もしモニターフォトダイオード１２０６帯域幅がＦ３・１２１２帯域幅よりも広いならば、その時は、モニターフォトダイオード信号１２０８の振幅がＦ３・１２１４帯域幅に近づく周波数にてリファレンス信号のそれを越えるであろう。これは、システムが現在ＯＭＡを過大評価する原因となると予想されるかもしれない。しかしながら、そのような周波数では、フィルターＦ３・１２１２により導入される増加する位相シフトに起因して、モニタリング信号１２０８とリファレンス信号１２１２間の増大する位相差が、同様に存在する。これが、再び、（同様に、フィルターされた）データ信号とモニターフォトダイオード信号１２０８同相成分の間の相関を減らす。従って、位相差は振幅差に対してある程度補償する傾向にある。これは他の状況と対照的であり、そこでは、位相差が振幅差を増強するだろう。
【００２９】
従って、もしモニターフォトダイオード１２０６帯域幅が期待したより広いならば、Ｆ３・１２１４は、著しく精度に影響することなく、狭いモニターフォトダイオード１２０６帯域幅を補償するために、かなり積極的に設定され得る。（振幅比較の帯域幅を設定する）Ｆ１・１２０２とＦ２・１２０４の与えられた帯域幅に対して、システムは、かなりより広い範囲のモニターフォトダイオード１２０６帯域幅を許容できるか、および／または、モニターフォトダイオード１２０６帯域幅の与えられた下限に対して、Ｆ１・１２０２とＦ２・１２０４の帯域幅を増化させることができ、振幅比較が広い周波数帯にわたってなされることを可能にする。後者は、データ信号エネルギーのかなりより大きい割合が比較に使用されることを可能にする。これは、雑音とオフセットへの感度を減らし、ＯＭＡエラーの検出がかなりより短い時間窓にわたってなされるを可能にする。これは、データが短いバースト内で送信されるであろう、バーストモード光学ドライバーに対して、有用であるだろう。
【００３０】
別の例示として、図１３は、交互データ信号のデューティサイクル変調構成を描写しているブロック図である。デューティサイクル変調器１３０２は、レーザーダイオードドライバー１３０６に送信される変調された入力データ信号１３０４を発生するために、入力データ信号のデューティサイクルを変える。前に記載された例とは異なって、データ信号１３０４を乗算器／混合器１３１２に提供する代わりに、低周波テスト信号１３１４が、１３１２への入力として、代わりに提供される。データ信号１３０４の低周波成分の大きな部分がデューティサイクル変調により提供されるシナリオにおいては、低周波テスト信号１３１４の直接使用法が、改善されたＯＭＡ制御を提供できる。図１４は、例示の低周波テスト信号１４０２およびデータ信号１４０４上でのそのテスト信号の効果を描写している。
【００３１】
さらなる例示として、図１５は、ハイブリッドアーキテクチャーを描写している。このハイブリッドアーキテクチャーは、ここにて上述されたいくつかの特徴を組み合わせる。図１５の例においては、ＶＤＡＴＡ＿ＦＩＬＴ１５０２とＶＬＦＴＳ１５０４の双方が、相関器１５０６へ提供される。図１５のアーキテクチャーは、入力データ信号における低周波コンテンツの量に関係ない品質ＯＭＡ制御を提供するだろう。
【００３２】
ここにて記載されたいくつかの具体例は、Ｌ−Ｉ曲線における非線形、ねじれ及びバンプに対する優れた免疫力を提供でき、レーザーの詳細な特性化に対するいかなる必要性をも回避するだろう。描写されているアーキテクチャーは、中程度か狭い帯域幅のモニターフォトダイオードで実施されるだろうし、低電力消費を表すだろうし、非常に高い（理論的に制限のない）ビットレートを有するシステムにて利用されるだろう。
【００３３】
尚、この光変調振幅制御システムは、様々な構成にて提供され得る。例えば、光変調フィードバック回路が、変調制御フィードバック信号を発生する低周波比較回路を有するスタンドアロン形式にて、実装され得る。別の構成において、光学ドライバー集積回路が、光学ドライバーと低周波比較回路を具備することができる。さらなる構成において、光モジュールが、光学ドライバー、レーザーダイオード、光検出器および低周波比較回路を具備することができる。更に、いくつかの素子は、ここにて描写されるアナログバージョンの代わりに、デジタルコンポーネントを使用してもよい。
【００３４】
本発明は、特別な実施の形態を参照して記載されてきた。しかしながら、当該技術者にとっては、上述の実施の形態のそれら以外の特別な形式にて発明を具体化することが可能であることが、容易に明らかであろう。例えば、図１６は、デジタルコントローラを含む光変調フィードバックシステムを描写した別の例示の構成を描写しているブロック図である。レーザーダイオードドライバー１６０２は、変調電流制御信号１６０６、バイアス電流制御信号１６０８および低周波テスト信号１６１４に従ってデューティサイクル変調器１６１２によって変調されたデューティサイクルを有するデータ入力信号１６１０に基づいてドライバー信号１６０４を送信しており、ここで、データ信号１６１０は、低周波テスト信号１６１４（例えば、擬似ランダムビットシーケンス）に従ってデータ信号の立上りと立下りエッジを差動的に遅延させることによって産出される。制御入力１６０６、１６０８および１６１０は、さまざまな形態を取れるであろう。一つの例示において、バイアス電流制御信号１６０８が、「論理０」レベルの伝送期間のレーザー電流を代表する。そのような定義を使用するとき、平均レーザー電流は、（データ信号の５０％平均デューティサイクルを仮定すると、）ＩＢＩＡＳ＋ＩＭＯＤ／２であるだろう。そのような構成において、平均光電力出力は、平均電力制御とＯＭＡ制御ループの間の望まれていない干渉をもたらし得るＩＢＩＡＳとＩＭＯＤ双方の影響を受ける。この潜在的問題に対処するには、いくつかの構成において、ＩＢＩＡＳがレーザー「論理０」と「論理１」ドライブ電流の平均として定義される。そのような実装において、レーザードライバー１６０２は、式＜「論理０」レーザードライブ電流＝ＩＢＩＡＳ&#8211;ＩＭＯＤ／２＞を使用して「論理０」ドライブ電流を計算するように構成され得る。そのような実装において、ＯＭＡ制御ループによるＩＭＯＤの変動は、平均光電力に影響を及ぼすことなく、平均電力制御ループとＯＭＡ制御ループが独立に動作することを可能にする。
【００３５】
デューティサイクル変調されたデータ信号１６１０は、ドライバー信号１６０４により駆動されるレーザーダイオード１６２０の出力をモニターするモニターフォトダイオード１６１８により出力されるモニタリング信号からデータ信号１６１０に比例する信号の減算を促進するスイッチ１６１６を制御するために使用される。その減算はダウンストリームに使用される残留信号１６２２を発生する。トランスインピーダンス増幅器１６２４は残留信号１６２２を電流から電圧へ変換し、そこでは、その電圧のＤＣ成分がＡＰＣ積分器１６４６を使用して抽出され、そのＤＣ成分が所望の平均電力を維持するために使用される。残留信号１６２２は、それから、比較用のフィルターされた残留信号１６２８を発生するために、残留信号１６２２の高周波とＤＣ成分を除去するように、ローパスあるいはバンドパスフィルターによってフィルターされる。このフィルターされた残留信号が、デューティサイクル変調されたデータ信号１６１０と低周波テスト信号１６１４を使用して、１６３０と図１５の後置フィルターＦ２とは対照的な前置フィルターＦ２にて混合される信号と比較される。それらの２信号１６１０、１６１４は、フィルターされた混合信号１６３４を発生するために、１６３０にて（例えば、加重混合を経由して）合計され、１６２６におけるフィルターに一致されるであろうローパスあるいはバンドパスフィルターに提供される。いくつかの実装において、残留信号１６２２と１６３０における混合器からの信号は、信号の各々のフィルターリングがフィルターされた信号へ位相シフトを生じさせるであろうから、それらのフィルター１６２６、１６３２から出力される信号１６２８、１６３４間の位相を最適に維持するための試みにおいて正確に同じ数のフィルター１６２６、１６３２に提供される。正確に同じ数ｎのフィルターにより双方の信号をフィルターリングすることによって、１６２８、１６３４における位相は最適に維持されるであろう。１６３６にて、信号１６２８、１６３４は、その２つの信号間の相関または逆相関を検出するために、２つの信号１６２８、１６３４を乗算することによって等で比較され、それが乗算結果において正または負の平均を産出するであろうし、そして、その比較の結果が１６３８にて積分される。
【００３６】
デジタルコントローラ１６４０が、変調電流制御信号１６０６とバイアス電流制御信号１６０８を発生することに、図１６の例示においては、使用される。図１６の例示においては、デジタルコントローラ１６４０は、比較器１６４２、１６４４からの入力に基づいて、それぞれ、変調電流制御信号１６０６とバイアス電流制御信号１６０８を提供し、そこでは、各々の積分結果の符号（すなわち、積分器への入力が正または負の平均値をもつかどうか）を決定するために、比較器１６４２がＯＭＡ制御積分器１６３８から入力を受信し、比較器１６４４がＡＰＣ積分器１６４６から入力を受信する。
【００３７】
図１７は、デジタルコントローラの例示の入力と出力のクローズアップを描写しているブロック図である。デジタルコントローラ１７０２は、１７０８、１７１０にてそれぞれのデジタルーアナログ変換を条件として、変調電流制御信号１７０４とバイアス電流制御信号１７０６を出力としてレーザーダイオードドライバーに提供する。デジタルコントローラ１７０２は、これらの出力１７０４、１７０６を、フィードバックループから受信されるそれらの出力と入力の前の状態に基づいて、提供している。例えば、ＯＭＡ制御フィードバックループに対して、モニタリング信号の低周波成分とデータ信号の低周波成分が乗算され（例えば、図１６の１６３６にて）、乗算の結果が１７１２にて積分される。１７１２でのその積分の結果は、その積分結果が正または負であるかどうかを決定する比較器１７１４に提供される。比較器１７１４からの２値のアップまたはダウンフィードバック信号１７１６は、変調電流制御信号１７０４をその電流レベルからアップまたはダウン調整するために、デジタルコントローラ１７０２によって使用される。
【００３８】
動作において、デジタルコントローラ１７０２とＯＭＡループ積分器１７１２は、クロック信号１７１８に応答する。クロック信号１７１８は、伝送期間中のように光送信機がアクティブである際に、デジタルコントローラ１７０２および積分器１７１２に提供される。クロック信号１７１８からのパルスに基づいて、毎クロックサイクルの終わり等で、デジタルコントローラ１７０２は、ＯＭＡループ比較器１７１４からのフィードバック信号１７１６をサンプリングする。サンプリングされたフィードバック信号に基づいて、デジタルコントローラ１７０２は、変調電流制御信号１７０４を、フィードバック信号１７１６のレベルに基づいて、一つ以上のレベルアップまたはダウン調整するかどうかを決定する。ＯＭＡループ積分器１７１２は、また、クロック信号１７１８を受信して、クロックパルスが受信されるたび毎等に、クロックパルスの受領に基づいてリセットされる。積分器１７１２は、レーザーダイオードドライバーへの前の調整の効果がシステムを経由して伝播することを許容するために、クロック信号１７１８期間に比較して短い期間に、ゼロ値にて保持されるだろう。積分器１７１２がクロック信号１７１８によってリセットされるそのような構成においては、ＯＭＡループ積分器１７１２が、その比較が一般的に正または負であるかどうかを決定するために、単一クロックサイクルに渡って低周波数比較をモニターする。その積分結果はＯＭＡループ比較器１７１４へ提供され、それが、ＯＭＡループフィードバック経路１７１６に沿う信号（例えば、２値のアップまたはダウン信号、または、アップまたはダウン信号プラス調整の大きさ）を提供し、いかに変調電流制御信号１７０４を調整するかについてデジタルコントローラに指示する。
【００３９】
変調電流制御信号１７０４のデジタル調整を容易にすることに加えて、上記のように、デジタルコントローラ１７０２と連携するクロック信号１７１８の使用は、データ伝送が非連続である実装において利益を提供できる。多くの非同期データ伝送スキームにおいて、バーストにてデータを送信する非同期スキームのように、所定の信号発生パラメターは、チャンネルおよび他のシステム特性に合致するための試みにおいて、各バースト上で大幅に再調整されなけばならない。図１７のデジタルコントローラ１７０２は、光送信機が休止状態のクロック信号１７１８により示されるように非アクティブである際に、出力信号１７０４、１７０６の最後の状態を保持するように構成され得る。クロック信号１７１８が再アクティベートされる際に、バーストイネーブル信号１７２０がクロック発生器１７２２に提供される際のように、デジタルコントローラ１７０２が出力１７０４、１７０６を開始するにつれて、最後の既知の状態を出力する。もしバースト間の期間が相対的に短かくて、動作条件が最後のバースト伝送以降著しく変化しなかったならば、その時は、デジタルコントローラ１７０２によって提供される最後の既知の状態が、レーザーダイオードドライバーへの望ましい入力に近いと思われる。アクティブクロック信号１７１８で動作の期間中、これらの出力値１７０４、１７０６は、さらに、ＯＭＡループフィードバック信号１７１６を経由する等で、調整されるであろう。いくつかの構成において、バースト長がクロック信号１７１８のクロック期間より短い際に、その時は、クロックイベント（例えば、パルス）が、出力１７０４、１７０６の調整を可能とすべくバースト当たり少なくとも１個のクロックサイクルが常に存在することを保証するために、バーストの最後で発生されるだろう。
【００４０】
バイアス電流制御信号１７０６は、変調電流制御信号１７０４と同様な方法にて制御され得る。（図１６のトランスインピーダンス増幅器１６２４からのような）残留信号のＤＣ成分は、１７２４にて積分することによって検出され、その積分の結果が比較器１７２６へ提供され、それが、正または負であるかどうかを決定し、デジタルコントローラ１７０２に２値のアップまたはダウンフィードバック信号１７２８を提供する。デジタルコントローラ１７０２は、クロック信号１７１８に基づいて、平均電力制御フィードバック信号１７２８をサンプリングし、バイアス電流制御信号１７０６を、受信された信号１７２８に基づいて、その電流状態からアップまたはダウン調整する。いくつかの構成において、平均電力制御積分器１７２４は、各パルス上等において、クロック信号１７１８に基づいてリセットされるので、平均電力制御フィードバック信号１７２８は、最後のクロックサイクル以降の残留信号のＤＣ成分に基づいている。
【００４１】
図１６に戻って参照すると、上記のように、残留電流１６２２が、モニターフォトダイオード１６１８により発生されるモニタリング電流から基準電流１６４８を減算することによって、発生される。基準電流１６４８は、変調されたデータ信号１６１０に基づいて、スイッチ１６１６によって制御され、そこでは、基準電流１６４８が、送信されるデータ信号１６１０の代表である。図１６の例示における動作において、基準電流１６４８は、「論理０」が送信される際のＩＭＯＮ０レベルで、および、「論理１」が送信される際のＩＭＯＮ０＋（ＩＭＯＮ１&#8211;ＩＭＯＮ０）＝ＩＭＯＮ１レベルで設定される。いくつかの実装において、ＩＭＯＮ０とＩＭＯＮ１レベルは、受信された所望の平均電力および（例えば、ユーザインターフェースデータエントリーからの、または、コンピュータ−読み取り可能媒体からの）受信された所望の光変調振幅に基づいて設定される。しかしながら、他の実装においては、所望の平均電力および所望の消光比（すなわち、Ｐ１／Ｐ０：「論理０」光電力レベルに対する「論理１」光電力レベルの比）に基づいて、ＩＭＯＮ０とＩＭＯＮ１のように、システムにおいて値を設定することがより望ましいだろうし、その代わりに、いくつかの状況下のように、消光比は、光変調振幅に比べて、より直感的であるかまたは一般的に参照されるであろう。モニターフォトダイオードが光電力に直線的に応答すると仮定すれば、その時は、ＩＭＯＮ１／ＩＭＯＮ０＝Ｐ１／Ｐ０＝消光比である。
【００４２】
一つの実装においては、ユーザインターフェースが提供され、それが、光伝送装置の所望の消光比および所望の平均電力を受け入れる。そのような実装においては、データ信号を代表する基準電流１６４８は、データ信号が「論理０」値を表す際の第１のレベルＩＭＯＮ０にあり、基準電流１６４８は、データ信号が「論理１」値を表す際の第２のレベルＩＭＯＮ１にある。第１のレベルＩＭＯＮ０は次式により決定される、すなわち、
ＩＭＯＮ０＝２＊ＩＡＶＥ／（ＥＲ＋１）、
この式においては、ＩＭＯＮ０は第１の電流レベルであり、ＩＡＶＥは、受信された所望の平均電力に基づく電流（例えば、５０％平均デューティサイクルのデータ信号ＩＡＶＥ＝（ＩＭＯＮ１&#8211;ＩＭＯＮ０）／２を仮定した場合の、レーザーダイオード１６２０の所望の平均光電力出力を達成するためにＡＰＣループによって目標とされる平均モニターフォトダイオード１６１８電流）であり、ＥＲは受信された所望の消光比である。
第２のレベルＩＭＯＮ１は、さらに、次式により決定される、すなわち、
（ＩＭＯＮ１&#8211;ＩＭＯＮ０）＝２＊ＩＡＶＥ＊（ＥＲ&#8211;１）／（ＥＲ＋１）、
この式においては、（ＩＭＯＮ１&#8211;ＩＭＯＮ０）は、第１と第２の電流レベル間の差である。光伝送装置の受信された所望の平均電力、および、受信された所望の消光比は、コンピュータメモリーからか、または、ユーザインターフェースから等の多様なソースから来るであろう。一つの例示において、ユーザインターフェースは入力として光伝送装置の所望の消光比および所望の平均電力を受け入れるが、所望の光変調振幅用の値を受け入れない。
【００４３】
図１６に描写された電流ＩＭＯＮ０と（ＩＭＯＮ１&#8211;ＩＭＯＮ０）は、多様な機構を経由して発生され得る。図１８は、ＩＭＯＮ０と（ＩＭＯＮ１&#8211;ＩＭＯＮ０）を発生する例示の機構を描写している図である。図１８において、２＊ＩＡＶＥの初期電流が、ユーザ制御下でデジタルーアナログ変換器によって等で、所望の平均電力に基づいて発生される。オンされるべきスイッチの数が、所望の消光比に基づいて決定される。一つの例示において、オンされるスイッチの数は、ｎ&#8211;１に等しく、そこでは、ｎが目標消光比である。もし描写されたゲート接続ＰＭＯＳトランジスターデバイスの全てが等価であり、（ｎ&#8211;１）スイッチがオンされるならば、その時は、電流は、総合の（ｎ＋１）トランジスターデバイス間に等しく割り当てられる。これにより、ＩＭＯＮ０が、２＊ＩＡＶＥ／（ｎ＋１）およびＩＭＯＮ１&#8211;ＩＭＯＮ０＝ＩＭＯＮ０＊（ｎ&#8211;１）＝２＊ＩＡＶＥ＊（ｎ&#8211;１）／（ｎ＋１）の単一のトランジスターデバイスにおける電流を有するとして、発生される。
【００４４】
ＯＭＡ制御スキームは、ここにて記載されたように、送信された信号の低周波成分をモニタリングすることによって、光振幅を制御するだろう。光送信機が平坦周波数応答を有していると仮定すれば、そのような制御は、データ信号の全帯域幅の振幅を表すのに十分である。もし周波数応答が平坦でなければ、その時は、目標のＯＭＡまたは目標の消光比と高帯域幅装置で測定される際の実際の値間に何らかのオフセットがあるだろう。そのようなオフセットは、ＩＭＯＮ０とＩＭＯＮ１電流の値を調整するトリム制御によって補償され得る。例えば、（ＩＭＯＮ１&#8211;ＩＭＯＮ０）の値は、トリム制御設定によるスケーリングファクター（例えば、１より大きいかあるいは小さいスケーリングファクター）と乗算され得て、ＩＭＯＮ０の値は、ＩＭＯＮ１とＩＭＯＮ０の平均を一定に保つように、適宜調整され得る。そのような制御は、同じＤＣ成分を維持しながら、ＩＲＥＦ信号のＡＣ成分の振幅を変えることができるので、ＩＡＶＥすなわち平均光電力出力が影響を受けない。一つの例示において、調整された電流は、以下により、スケーリングファクターｍに基づいて、次式により決定され得る、すなわち、
ＩＭＯＮ０，ＡＤＪ＝ＩＭＯＮ０&#8211;０．５（ｍ&#8211;１）（ＩＭＯＮ１&#8211;ＩＭＯＮ０）、
この式においては、ＩＭＯＮ０，ＡＤＪは調整された第１のレベルであり、ＩＭＯＮ０は事前調整の第１のレベルであり、（ＩＭＯＮ１&#8211;ＩＭＯＮ０）は第１および第２のレベル間の事前調整の差であり、また、次式により決定され得る、すなわち、
（ＩＭＯＮ１&#8211;ＩＭＯＮ０）ＡＤＪ＝ｍ（ＩＭＯＮ１&#8211;ＩＭＯＮ０）、
この式においては、（ＩＭＯＮ１&#8211;ＩＭＯＮ０）ＡＤＪは第１および第２のレベル間の調整された差である。
【００４５】
記載された具体例は、単に例示的であり、限定的に捉えるべきでない。発明の範囲は、前述の記載よりはむしろ請求項において反映されており、請求項の範囲内において、全ての変形と等価なものがそこには包含されるように意図されている。例えば、システムおよび方法は、１つ以上のデータ処理装置と通信するための、ネットワーク（例えば、ローカルエリアネットワーク、ワイドエリアネットワーク、インターネット、それらの組み合わせなど）を経由して搬送されるデータ信号、ファイバー光媒体、変調された搬送波、ワイヤレスネットワークなどを利用するであろう。データ信号は、装置へ提供されるか、または、装置から提供されるここにて開示された任意または全てのデータを担うことができる。
【００４６】
本明細書の記載において、および、引き続く請求項を通して使用されているように、「不定冠詞：a」、「不定冠詞：an」と「定冠詞：the」の意味は、文脈が明確に指示しない限り、複数の参照を含むことを理解すべきである。また、本明細書の記載において、および、引き続く請求項を通して使用されるように、「前置詞：ｉｎ」の意味は、文脈が明確に指示しない限り、「前置詞：in」と「前置詞：on」を含む。更に、用語「each(各々)」の使用は、文脈が明確に指示しない限り、「each and every（各々かつ全部）」を意味する必要はない。最後に、本明細書の記載において、および、引き続く請求項を通して使用されるように、「接続詞：and」と「接続詞：or」の意味は、接続詞と離接的接続詞の双方を含み、文脈が明確に指示しない限り、交換可能に使用されるだろう。語句「exclusive or（排他的なｏｒ）」は、離接的接続詞の意味だけが適用されるであろう状況を示すために、使用されるだろう。
【図１】
2015046597.tif 000003
【図２】
2015046597.tif 000004
【図３】
2015046597.tif 000005
【図４】
2015046597.tif 000006
【図５Ａ】
2015046597.tif 000007
【図５Ｂ】
2015046597.tif 000008
【図６】
2015046597.tif 000009
【図７Ａ】
2015046597.tif 000010
【図７Ｂ】
2015046597.tif 000011
【図７Ｃ】
2015046597.tif 000012
【図７Ｄ】
2015046597.tif 000013
【図７Ｅ】
2015046597.tif 000014
【図７Ｆ】
2015046597.tif 000015
【図７Ｇ】
2015046597.tif 000016
【図８Ａ】
2015046597.tif 000017
【図８Ｂ】
2015046597.tif 000018
【図８Ｃ】
2015046597.tif 000019
【図８Ｄ】
2015046597.tif 000020
【図８Ｅ】
2015046597.tif 000021
【図８Ｆ】
2015046597.tif 000022
【図８Ｇ】
2015046597.tif 000023
【図９】
2015046597.tif 000024
【図１０】
2015046597.tif 000025
【図１１】
2015046597.tif 000026
【図１２】
2015046597.tif 000027
【図１３】
2015046597.tif 000028
【図１４】
2015046597.tif 000029
【図１５】
2015046597.tif 000030
【図１６】
2015046597.tif 000031
【図１７】
2015046597.tif 000032
【図１８】
2015046597.tif 000033
【外国語明細書】
2015046597000001.pdf